(57)【要約】      （修正有）【課題】入射された光の光学特性を変換できる光学レンズ、プロジェクター、及び光学レンズの製造方法を提供する。【解決手段】光学レンズ５は、光が入射される曲面状の入射面５１１と、入射面５１１から入射した光が出射される曲面状の出射面５２１と、入射面５１１及び出射面５２１の間に位置し、入射された光の光学特性を変化させるフィルター層５３と、を有し、フィルター層５３は、略平面である。プロジェクターは、光源と複数の光変調装置の少なくともいずれかとの間に配置される、光学レンズ５と、を備える。【選択図】図３
2018040970.tif 000002
【特許請求の範囲】
【請求項１】
光が入射される曲面状の入射面と、
前記入射面から入射した前記光が出射される曲面状の出射面と、
前記入射面及び前記出射面の間に位置し、入射された前記光の光学特性を変化させるフィルター層と、を有し、
前記フィルター層は、略平面であることを特徴とする光学レンズ。
【請求項２】
請求項１に記載の光学レンズにおいて、
前記フィルター層は、当該光学レンズの光軸に直交する面に対して略平行に位置していることを特徴とする光学レンズ。
【請求項３】
請求項２に記載の光学レンズにおいて、
前記入射面は、前記光の入射方向とは反対方向側に突出する凸面及び当該入射方向に凹む凹面のいずれかであり、
前記出射面は、前記光の入射方向に沿って突出する凸面及び当該入射方向とは反対方向側に凹む凹面のいずれかであることを特徴とする光学レンズ。
【請求項４】
請求項１から請求項３のいずれか一項に記載の光学レンズにおいて、
前記フィルター層は、入射された前記光のうち、所定の波長領域の光を低減させることを特徴とする光学レンズ。
【請求項５】
光源と、
前記複数の色光をそれぞれ変調する複数の光変調装置と、
前記複数の光変調装置により変調された光を投射する投射光学装置と、
前記光源と前記複数の光変調装置の少なくともいずれかとの間に配置される、請求項１から請求項４のいずれか一項に記載の光学レンズと、を備えることを特徴とするプロジェクター。
【請求項６】
請求項５に記載のプロジェクターにおいて、
前記光源から出射された光を複数の色光に分離する色分離装置と、
前記色分離装置によって分離された前記複数の色光のうち、対応する前記光変調装置までの光路長が最も長い光路長上に位置し、入射される色光を前記光変調装置に導くリレー光学装置と、を備え、
前記リレー光学装置は、前記光学レンズを有することを特徴とするプロジェクター。
【請求項７】
請求項６に記載のプロジェクターにおいて、
前記リレー光学装置は、前記光学レンズを含む複数のレンズを有し、
前記複数のレンズのうち前記光学レンズは、前記リレー光学装置における光線角度分布が最も小さい位置に配置されていることを特徴とするプロジェクター。
【請求項８】
第１曲面及び当該第１曲面とは反対側に位置する第１平坦面を有する第１レンズの当該第１平坦面に入射された光の光学特性を変化させるフィルター層を形成する形成工程と、
第２曲面及び当該第２曲面とは反対側に位置する第２平坦面を有する第２レンズの当該第２平坦面が、前記フィルター層を挟んで前記第１平坦面と対向する状態にて、前記第１レンズ及び前記第２レンズを一体化する固定工程と、を備えることを特徴とする光学レンズの製造方法。
【請求項９】
２つの基板のいずれか一方に入射された光の光学特性を変化させるフィルター層を形成する形成工程と、
前記フィルター層を挟んで前記２つの基板を接合する接合工程と、
前記２つの基板の外面の少なくとも一方を曲面状に加工する加工工程と、を備えることを特徴とする光学レンズの製造方法。
【発明の詳細な説明】
【技術分野】
【０００１】
本発明は、光学レンズ、プロジェクター、及び光学レンズの製造方法に関する。
【背景技術】
【０００２】
従来、光源装置と、光源から出射された光を赤、緑及び青の各色光に分離する色分離装置と、当該色分離装置により分離された各色光を変調して画像情報に応じた画像を形成する光変調装置と、形成された画像をスクリーン等の被投射面上に拡大投射する投射光学装置と、を備えたプロジェクターが知られている。
このようなプロジェクターとして、色分離装置にて分離された各色光の光路のうち、光路長が長い緑色光の光路上に配置されるリレー光学装置を備えたプロジェクターが知られている（例えば、特許文献１参照）。
なお、上記特許文献１に記載のプロジェクターにおいて、色分離装置を構成するダイクロイックミラーとリレー光学装置を構成する第３のリレーレンズとの間には、緑色光に含まれる所定波長領域の色光成分を選択的に低減させる光学素子が位置している。
【先行技術文献】
【特許文献】
【０００３】
【特許文献１】特開２００８−２９２８７７号公報
【発明の概要】
【発明が解決しようとする課題】
【０００４】
しかしながら、上記特許文献１に記載のプロジェクターでは、上記光学素子を追加する必要があるので、部品点数が多くなるとともに、界面の増加によって、リレー光学装置を通過する色光の輝度が低下するという問題がある。
これに対し、上記光学素子と同様のフィルター層がレンズ曲面に形成されたレンズを用いて、上記界面の増加を抑制することが考えられる。
【０００５】
しかしながら、レンズ曲面にフィルター層が形成されていると、当該フィルター層に入射される光の入射角度が、当該レンズ曲面の位置によって異なることにより、フィルター層に入射される光がフィルター層を透過する距離（見かけ上の層厚）が異なり、当該フィルター層の光学特性が異なるという課題がある。
また、レンズ曲面にフィルター層を形成すると層厚にムラが生じる可能性が高い。この場合、当該フィルター層の位置によって、フィルター層の層厚が異なるので、光が入射する位置によってフィルター層の光学特性が異なる。
このため、レンズ曲面にフィルター層が形成されたレンズでは、上記層厚のムラやフィルター層に入射される光の入射角度の違いによって、当該フィルター層の光学特性が異なるという問題がある。
【０００６】
本発明は、上記課題の少なくとも一部を解決することを目的とするものであり、フィルター層の光学特性の差を小さく抑えることができる光学レンズ、プロジェクター、及び光学レンズの製造方法を提供することを目的の１つとする。
【課題を解決するための手段】
【０００７】
本発明の第１態様に係る光学レンズは、光が入射される曲面状の入射面と、前記入射面から入射した前記光が出射される曲面状の出射面と、前記入射面及び前記出射面の間に位置し、入射された前記光の光学特性を変化させるフィルター層と、を有し、前記フィルター層は、略平面であることを特徴とする。
【０００８】
上記第１態様によれば、入射面と出射面との間に位置するフィルター層が略平面により構成されているので、光学レンズの入射面（曲面）を介して入射される光の入射角度が略一定の場合に、フィルター層の光学特性が当該レンズの中心及び周辺のいずれの位置においても変わらない。従って、フィルター層が入射面から入射された光を面内で略均一な光として出射面から出射させることができる。
また、光学レンズの両面のそれぞれが曲面により構成されている場合に、当該曲面にフィルター層が形成されると、当該フィルター層の厚さ（膜厚）にムラが生じる可能性が高い。これに対して上記第１態様では、入射面と出射面との間に位置するフィルター層が略平面により構成されているので当該膜厚のムラが生じる可能性を低減できる。
従って、フィルター層が入射角度依存性を有する場合であっても、フィルター層により変化されて出射される光の色ムラや照度ムラが生じる可能性を低減できる。
【０００９】
上記第１態様では、前記フィルター層は、当該光学レンズの光軸に直交する面に対して略平行に位置していることが好ましい。
このような構成によれば、光学レンズの光軸に直交する面に対して略平行にフィルター層が位置しているので、当該フィルター層を備える光学レンズの設計を容易にできる。また、上記光学レンズの光軸に直交する面に対してフィルター層を設けるのみで光学レンズを製造できるので、光学レンズを容易に製造することができる。
【００１０】
上記第１態様では、前記入射面は、前記光の入射方向とは反対方向側に突出する凸面及び当該入射方向に凹む凹面のいずれかであり、前記出射面は、前記光の入射方向に沿って突出する凸面及び当該入射方向とは反対方向側に凹む凹面のいずれかであることが好ましい。
このような構成によれば、上記光学レンズは、両凸レンズ、両凹レンズ及び凹凸レンズのいずれかである。このように、内部にフィルター層を配置した光学レンズを両凸レンズ、両凹レンズ及び凹凸レンズのいずれかとしたので、当該光学レンズを適用できる範囲を拡大することができる。
【００１１】
上記第１態様では、前記フィルター層は、入射された前記光のうち、所定の波長領域の光を低減させることが好ましい。
このような構成によれば、例えば、赤外線カットフィルター、紫外線カットフィルター及びカラーフィルターとしても機能するレンズを構成できる。
例えば、赤外線カットフィルターを内部に含むレンズは、赤外線の波長領域の光を低減させるレンズとして用いることができ、紫外線カットフィルターを内部に含むレンズは、紫外線の波長領域の光を低減させるレンズとして用いることができる。また、カラーフィルターを内部に含むレンズは、所定波長以外の波長の光を低減させる、すなわち、所定波長の光のみを透過させるバンドパスフィルター等として用いることができる。従って、上記光学レンズが適用される可能性を更に拡大させることができる。
【００１２】
本発明の第２態様に係るプロジェクターは、光源と、前記複数の色光をそれぞれ変調する複数の光変調装置と、前記複数の光変調装置により変調された光を投射する投射光学装置と、前記光源と前記複数の光変調装置の少なくともいずれかとの間に配置される、上記光学レンズと、を備えることを特徴とする。
【００１３】
上記第２態様によれば、上記第１態様に係る光学レンズと同様の効果を奏することができる。また、光源と複数の光変調装置の少なくともいずれかとの間に、上記光学素子を別途配置すると、部品点数が増加するとともに、上記界面の増加によって、光変調装置に入射される色光の輝度及び投射光学装置から出射される画像光の輝度が低下する。
これに対し、このような構成によれば、上記光学素子を別途設ける必要がないので、部品点数の増加を抑えられるとともに、上記界面の増加によって、光変調装置に入射される色光の輝度の低下を抑制でき、ひいては、投射光学装置から出射される画像光の輝度が低下することを抑制できる。
【００１４】
上記第２態様では、前記光源から出射された光を複数の色光に分離する色分離装置と、前記色分離装置によって分離された前記複数の色光のうち、対応する前記光変調装置までの光路長が最も長い光路長上に位置し、入射される色光を前記光変調装置に導くリレー光学装置と、を備え、前記リレー光学装置は、前記光学レンズを有することが好ましい。
このような構成によれば、リレー光学装置が平面を含まない複数のレンズ等により形成されている場合でも、略平面のフィルター層を有する光学レンズを配置できる。従って、リレー光学装置を備えた色光においても、リレー光学装置の設計の自由度を高めることができ、部品点数の増加によるコストアップや輝度低下を招くことなく、表示位置によるフィルター層の光学特性の差を抑えられ、色ムラや輝度ムラを抑えることができる。
【００１５】
上記第２態様では、前記リレー光学装置は、前記光学レンズを含む複数のレンズを有し、前記複数のレンズのうち前記光学レンズは、前記リレー光学装置における光線角度分布が最も小さい位置に配置されていることが好ましい。
上記光線角度分布が最も小さい位置とは、光線角度分布が略均一、すなわち、当該位置に入射される光の入射角度が略一定であることを意味する。
このような構成によれば、リレー光学装置における光線角度分布が最も小さい位置、すなわち、略同じ光線角度の光が入射する位置に上記光学レンズ（フィルター層）が配置されるので、当該光学レンズの中心及び周辺のいずれの位置においても、当該入射される光がフィルター層に対して略同じ角度にて入射される。従って、上記光学レンズの中心及び周辺のいずれの位置においても略同様の光学特性の光が出射されるので、リレー光学装置から出射される光の輝度ムラ及び色ムラの発生を抑制できる。
また、リレー光学装置において上記フィルター層を備えた光学素子を上記光学レンズとは別に上記色光の光路上に配置する必要がないので、リレー光学装置の部品点数を削減できる。
【００１６】
本発明の第３態様に係る光学レンズの製造方法は、第１曲面及び当該第１曲面とは反対側に位置する第１平坦面を有する第１レンズの当該第１平坦面に入射された光の光学特性を変化させるフィルター層を形成する形成工程と、第２曲面及び当該第２曲面とは反対側に位置する第２平坦面を有する第２レンズの当該第２平坦面が、前記フィルター層を挟んで前記第１平坦面と対向する状態にて、前記第１レンズ及び前記第２レンズを一体化する固定工程と、を備えることを特徴とする。
上記第３態様によれば、第１曲面と第１平坦面を有する第１レンズの平坦面に入射された光の光学特性を変化させるフィルター層を形成し、当該第１平坦面及び第２平坦面が対向する状態にて第１レンズ及び第２レンズを一体化するのみで、上記光学レンズを形成できる。このように、形成工程及び固定工程の２つの工程により、上記光学レンズを形成できるので、上記光学レンズを簡易に製造できる。
【００１７】
本発明の第４態様に係る光学レンズの製造方法は、２つの基板のいずれか一方に入射された光の光学特性を変化させるフィルター層を形成する形成工程と、前記フィルター層を挟んで前記２つの基板を接合する接合工程と、前記２つの基板の外面の少なくとも一方を曲面状に加工する加工工程と、を備えることを特徴とする。
上記第４態様によれば、上記第３態様に係る光学レンズの製造方法と同様の作用効果を奏することができる。また、２つの基板が接合された後に、当該２つの基板の外面が曲面状に加工されるので、例えば、接合工程において、２つの基板の位置合わせを精密にする必要がない。従って、上記光学レンズを簡易に製造できる。
【図面の簡単な説明】
【００１８】
【図１】本発明の一実施形態に係るプロジェクターの外観を示す斜視図。
【図２】上記実施形態における装置本体を構成する画像形成装置の構成を示す模式図。
【図３】上記実施形態におけるリレー光学装置の構成を示す模式図。
【図４】上記実施形態におけるリレーレンズの製造方法の一例を示す図。
【図５】上記実施形態におけるリレーレンズの製造方法の他の例を示す図。
【発明を実施するための形態】
【００１９】
以下、本発明の一実施形態について、図面に基づいて説明する。
［プロジェクターの外観構成］
図１は、本実施形態に係るプロジェクター１の外観を示す斜視図である。
本実施形態に係るプロジェクター１は、内部に設けられた光源装置４１（図２参照）から出射された光を変調して画像情報に応じた画像を形成し、当該画像をスクリーン等の被投射面上に拡大投射する画像表示装置である。このプロジェクター１は、図１に示すように、外装を構成する外装筐体２と、当該外装筐体２内に収容される装置本体と、を備える。
そして、詳しくは後述するが、プロジェクター１は、内部にフィルター層５３を有するリレーレンズ５がリレー光学装置４４を構成するレンズの１つとして用いられている点を特徴としている（図３参照）。
以下、プロジェクター１の各構成について説明する。
【００２０】
［外装筐体の構成］
外装筐体２は、当該外装筐体２の上部を構成するアッパーケース２Ａと、下部を構成するロアーケース２Ｂと、正面部を構成するフロントケース２Ｃと、背面部を構成するリアケース２Ｄと、を備え、これらが組み合わされて全体略直方体形状に形成されている。この外装筐体２は、天面部２１、底面部２２、正面部２３、背面部２４、左側面部２５及び右側面部２６を有する。
【００２１】
天面部２１における背面部２４側及び左側面部２５側の位置には、後述する光源装置４１を挿抜するための開口部２１１が形成され、当該開口部２１１は左側面部２５側にスライド可能に設けられるランプカバー２１２によって閉塞される。
底面部２２には、設置面に当接される４つの脚部２２１（図１においては１つの脚部２２１のみ図示）が設けられている。
正面部２３の略中央には、後述する投射光学装置４６（図２参照）の一部を露出させ、画像が通過する開口部２３１が形成されている。また、正面部２３における右側面部２６側の部位には吸気口２３２が形成され、左側面部２５側の部位には排気口２３３が形成されている。
【００２２】
なお、以下の説明では、互いに直交する＋Ｘ方向、＋Ｙ方向及び＋Ｚ方向のうち、＋Ｚ方向を背面部２４から正面部２３に向かう方向（投射光学装置４６から投射される光の進行方向）とし、＋Ｙ方向を底面部２２から天面部２１に向かう方向とし、＋Ｘ方向を左側面部２５から右側面部２６に向かう方向とする。また、＋Ｚ方向とは反対方向を−Ｚ方向とする。−Ｘ方向及び−Ｙ方向も同様である。
このように各方向を規定した場合、プロジェクター１による画像の投射方向は、＋Ｙ方向側から見て＋Ｚ方向に沿う方向となる。
【００２３】
［装置本体の構成］
図２は、装置本体の一部を構成する画像形成装置４の構成を示す模式図である。
装置本体は、プロジェクター１の本体を構成する。この装置本体は、図２に示す画像形成装置４を備える。この他、図示を省略するが、装置本体は、プロジェクター１の動作を制御する制御装置、プロジェクター１を構成する電子部品に電力を供給する電源装置、及び、プロジェクター１を構成する冷却対象を冷却する冷却装置を備える。
【００２４】
［画像形成装置の構成］
画像形成装置４は、上記制御装置による制御の下、画像情報に応じた画像を形成及び投射する。この画像形成装置４は、図２に示すように、光源装置４１、均一化装置４２、色分離装置４３、リレー光学装置４４、電気光学装置４５、投射光学装置４６、及び光学部品用筐体４７を備える。そして、画像形成装置４は、これら装置４１〜４６が光学部品用筐体４７に組み合わされて略Ｌ字状の光学ユニットとして構成され、＋Ｘ方向及び＋Ｚ方向に沿うように配置される。
【００２５】
光源装置４１は、均一化装置４２に向けて＋Ｘ方向に光を出射する。この光源装置４１は、発光管４１１、主反射鏡４１２、及び平行化レンズ４１３を有する。なお、これに限らず、例えば、光源装置４１は、固体光源（レーザー光源）及び蛍光体を備えた光源装置であってもよい。
【００２６】
均一化装置４２は、光源装置４１から出射された光束の中心軸に対する直交面内の照度を均一化する。この均一化装置４２は、光源装置４１からの光束の入射順に、シネマフィルター４２１、第１レンズアレイ４２２、調光装置４２３、第２レンズアレイ４２４、偏光変換素子４２５及び重畳レンズ４２６を有する。
なお、均一化装置４２は、シネマフィルター４２１及び調光装置４２３を備えていなくてもよい。
色分離装置４３は、均一化装置４２から入射される光束を、赤、緑及び青の３つの色光に分離する。この色分離装置４３は、ダイクロイックミラー４３１，４３２及び反射ミラー４３３を有する。
【００２７】
具体的に、ダイクロイックミラー４３１は、均一化装置４２から入射される光束を、誘電体多層膜によって、青色光と、青色光の波長領域よりも長波長側の光（赤色光及び緑色光を含む光）とに分離する。なお、青色光とは、厳密に青色光と定義される波長領域（約４３５ｎｍ以上、約５００ｎｍ未満）の光と、それ以下の波長領域（約４３５ｎｍ未満）の光とを含んだものである。
青色光は、ダイクロイックミラー４３１にて反射され、赤色光及び緑色光を含む青色光の波長領域よりも長波長側の光は、ダイクロイックミラー４３１を透過する。
ダイクロイックミラー４３１によって反射された青色光は、反射ミラー４３３にて反射され、後述する青色光用のフィールドレンズ４５１に向けて出射される。
【００２８】
また、ダイクロイックミラー４３２は、ダイクロイックミラー４３１を透過した上記長波長側の光（緑色光及び赤色光を含む）を、誘電体多層膜によって、赤色光の波長領域よりも短波長側の光と、赤色光の波長領域以上の光とに分離する。換言すると、ダイクロイックミラー４３２は、緑色光（約５００ｎｍ以上、約５９０ｎｍ未満）と、緑色光の波長領域よりも長波長側の赤色光（約５９０ｎｍ以上、約６８０ｎｍ未満）を含む光とに分離する。
緑色光は、ダイクロイックミラー４３２によって反射され、緑色用のフィールドレンズ４５１に向けて出射される。一方、ダイクロイックミラー４３２を通過した赤色光の波長領域以上の光は、リレー光学装置４４に向けて出射される。
【００２９】
リレー光学装置４４は、分離された３つの色光のうち、他の色光（青色光及び緑色光）に比べてダイクロイックミラー４３１から対応する光変調装置４５３までの光路が長い赤色光の光路上に設けられ、赤色光を電気光学装置４５にリレーする。このリレー光学装置４４は、光路長が他の色光の光路長よりも長い赤色光の発散等による光の利用効率の低下を防止する。
なお、リレー光学装置４４の詳しい構成については、後述する。
【００３０】
電気光学装置４５は、分離された各色光を画像情報に応じてそれぞれ変調した後、当該各色光を合成する。この電気光学装置４５は、青色光及び緑色光のそれぞれが入射される平凸レンズであるフィールドレンズ４５１と、各色光毎に設けられる入射側偏光板４５２、光変調装置４５３（赤、緑及び青用の光変調装置をそれぞれ４５３Ｒ，４５３Ｇ，４５３Ｂとする）及び出射側偏光板４５４と、変調された各色光を合成して投射画像を形成する色合成装置４５５と、を有する。これらのうち、各光変調装置４５３は、本実施形態では透過型の液晶パネルによって構成され、色合成装置４５５は、クロスダイクロイックプリズムによって構成されている。
なお、本実施形態では、電気光学装置４５は、赤色光が入射されるフィールドレンズを備えていない。これは、リレー光学装置４４を構成する出射側レンズ４４２が、当該フィールドレンズとして機能するためである。
【００３１】
投射光学装置４６は、形成された投射画像を＋Ｚ方向に沿って拡大投射して、当該投射画像を上記被投射面上に表示させる。この投射光学装置４６は、複数のレンズ（図示省略）と、当該複数のレンズを内部に収納する鏡筒４６１とを備えた組レンズとして構成されている。
【００３２】
光学部品用筐体４７は、詳しい図示を省略するが、光源装置４１が配置される光源収納部と、各装置４２〜４４を構成する光学部品及びフィールドレンズ４５１が内部に配置される部品収納部材と、当該部品収納部材と組み合わされる蓋状部材と、部品収納部材と組み合わされ、投射光学装置４６を支持する支持部材と、を備える。
このような光学部品用筐体４７の内部には、設計上の光軸である照明光軸Ａｘが設定されており、上記各装置４１〜４６は、当該照明光軸Ａｘにおける所定位置に配置される。このため、光源装置４１から出射される光の中心軸は、照明光軸Ａｘと一致する。
【００３３】
［リレー光学装置の構成］
図３は、リレー光学装置４４を拡大して示す模式図である。
リレー光学装置４４は、図２及び図３に示すように、入射側レンズ４４１、出射側レンズ４４２、リレーレンズ５及び反射ミラー４４３，４４４を有し、これらは上記照明光軸Ａｘ上に配置されている。このリレー光学装置４４において、赤色光は、入射側レンズ４４１を通過しつつ＋Ｘ方向に進行する。この赤色光は、反射ミラー４４３にて＋Ｚ方向側に反射され、リレーレンズ５を通過しつつ＋Ｚ方向に進行する。この後、当該赤色光は、反射ミラー４４４にて−Ｘ方向側に反射され、出射側レンズ４４２を通過して、赤色光用の上記入射側偏光板４５２に入射される。
【００３４】
入射側レンズ４４１、出射側レンズ４４２及びリレーレンズ５のそれぞれは、入射面及び出射面のいずれもが曲面により構成されている。換言すると、入射側レンズ４４１、出射側レンズ４４２及びリレーレンズ５のそれぞれは、所謂、両凸レンズにより構成されている。
これらのうち、入射側レンズ４４１は、リレー光学装置４４における赤色光の入射側、すなわち、−Ｘ方向側の位置にダイクロイックミラー４３２に対向して配置される。
反射ミラー４４３は、入射側レンズ４４１の＋Ｘ方向側の位置に配置され、当該入射側レンズ４４１の出射面に対して、例えば、４５°傾斜した状態にて配置される。この反射ミラー４４３は、上記入射側レンズ４４１を透過した赤色光が入射され、当該赤色光を＋Ｚ方向、すなわち、リレーレンズ５に向けて出射させる。
【００３５】
リレーレンズ５は、反射ミラー４４３の＋Ｚ方向側の位置に配置され、当該反射ミラー４４３から入射された赤色光の光学特性を変化させて反射ミラー４４４に向けて出射させる。
反射ミラー４４４は、リレーレンズ５の＋Ｚ方向側の位置に配置され、当該リレーレンズ５の出射面５２１に対して、例えば、４５°傾斜した状態にて配置される。この反射ミラー４４４には、上記リレーレンズ５を透過した赤色光が入射され、当該赤色光を−Ｘ方向、すなわち、出射側レンズ４４２に向けて出射させる。
出射側レンズ４４２は、反射ミラー４４４の−Ｘ方向側の位置に配置されるフィールドレンズである。この出射側レンズ４４２には、上記反射ミラー４４４によって反射された赤色光が入射され、当該出射側レンズ４４２を介して当該赤色光が赤色用の入射側偏光板４５２に入射される。
【００３６】
［リレーレンズの構成］
リレーレンズ５は、本発明の光学レンズに相当する両凸レンズであり、上記のように、反射ミラー４４３，４４４の間に位置する。このリレーレンズ５は、図３に示すように、第１レンズ要素５１、第２レンズ要素５２及びフィルター層５３を備え、これらが一体化されることにより形成されている。
第１レンズ要素５１は、ガラス等により形成される平凸レンズ様の構成を有する。具体的に、第１レンズ要素５１は、入射面５１１と、第１平坦面に相当する平坦面５１２と、を有する。
入射面５１１は、反射ミラー４４３により反射された赤色光が入射されるレンズ曲面（第１曲面）であり、赤色光の入射方向（＋Ｚ方向）とは反対方向側に向けて突出する凸面により構成されている。
平坦面５１２は、入射面５１１とは反対側（＋Ｚ方向側）に位置する平坦面であり、当該平坦面５１２には、フィルター層５３が形成されている。この平坦面５１２は、リレーレンズ５の光軸直交面（ＸＹ平面）に対して略平行に形成されている。
【００３７】
フィルター層５３は、本実施形態では、入射された赤色光のうち、赤外線の波長領域の光を低減させる機能を有するフィルター、すなわち、赤外線カットフィルターにより形成されている。
第２レンズ要素５２は、第１レンズ要素５１と同様にガラス等により形成され、当該第１レンズ要素５１と同様に平凸レンズ様に構成されている。この第２レンズ要素５２は、第２平坦面に相当する出射面５２１と、平坦面５２２とを有する。
出射面５２１は、入射面５１１を介して入射され、フィルター層５３を透過した赤色光が出射される曲面（第２曲面）であり、赤色光の入射方向（＋Ｚ方向）に沿う方向に突出する凸面により構成されている。また、平坦面５２２は、出射面５２１とは反対方向側（−Ｚ方向側）に位置する平坦面であり、当該平坦面５２２には、接着層５４（図４参照）が蒸着されている。更に、平坦面５２２は、平坦面５１２と同様に、入射面５１１を介して入射される赤色光の光軸直交面（ＸＹ平面）に対して略平行に形成されている。
【００３８】
フィルター層５３は、上記平坦面５１２及び平坦面５２２に挟持され、上記接着層５４により固定されている略平面である。上述したように、平坦面５１２及び平坦面５２２は、上記光軸直交面に対して略平行に形成されていることから、当該フィルター層５３もリレーレンズ５内に上記光軸直交面に対して略平行に形成されている。これにより、入射面５１１を介して入射された赤色光が、第１レンズ要素５１内において光線角度分布が小さい赤色光（上記光軸に略平行な赤色光）となり、フィルター層５３に対して略垂直に入射される。換言すると、フィルター層５３が赤色光の照明光軸Ａｘに対して略直交する平面（平坦面５１２）に設けられているので、リレーレンズ５の中心及び周辺のいずれの位置においても略同じ角度にて上記赤色光がフィルター層５３に入射される可能性が高まる。
これにより、リレーレンズ５の入射面５１１を介して入射された赤色光は、上記中心及び周辺のいずれの位置においても赤外線の波長領域の光が低減され、当該赤外線の波長領域の光が低減された赤色光が出射面５２１を介して反射ミラー４４４に向けて、すなわち、＋Ｚ方向に向けて出射される。
【００３９】
［リレーレンズの配置］
リレーレンズ５は、フィルター層５３を有しているため、当該フィルター層５３に対して入射される光の光源角度分布が小さい位置、すなわち、当該フィルター層５３に略平行光が入射する位置に配置される必要がある。
しかしながら、色分離装置４３からの赤色光が１番目に入射される入射側レンズ４４１には、当該色分離装置４３のダイクロイックミラー４３２により色分離が実行される際に赤色光が拡散する可能性があるので、当該入射側レンズ４４１の配置位置は、光線角度分布が大きい位置である可能性がある。また、色分離装置４３からの赤色光が３番目に入射される出射側レンズ４４２には、上記リレーレンズ５により赤色光の光学特性が変化させられることによって、集光及び拡散されて入射される可能性がある。
これに対し、本実施形態では、リレーレンズ５は、図２及び図３に示すように、リレー光学装置４４における入射側レンズ４４１、出射側レンズ４４２及びリレーレンズ５のそれぞれが配置される位置のうち、光線角度分布が最も小さい位置に配置されている。換言すると、リレー光学装置４４が備える複数のレンズ（入射側レンズ４４１、出射側レンズ４４２及びリレーレンズ５）のうち、リレーレンズ５は、入射側レンズ４４１及び出射側レンズ４４２の間、すなわち、フィルター層５３に光線角度分布が最も小さい赤色光が入射される位置に配置されている。
これにより、リレーレンズ５には、光線角度分布が最も小さい赤色光が入射されるので、フィルター層５３のいずれの位置においても、赤色光から赤外線の波長領域の光を確実に低減させることができる。換言すると、リレーレンズ５の中心及び周辺のいずれの位置においても、第１レンズ要素５１により屈折されて略平行化された光が入射される可能性が高いので、フィルター層５３は、入射された赤色光の光学特性を適切に変化させる（赤外線の波長領域の光を低減させる）ことができる。
【００４０】
［リレーレンズの第１製造方法］
図４は、リレーレンズ５の第１製造工程を示す模式図である。
以上説明したようなリレーレンズ５は、例えば、図４に示す第１製造工程を経て製造される。
まず、第１レンズ要素５１の平坦面５１２及び第２レンズ要素５２の平坦面５２２のいずれかに平坦なフィルター層５３を形成する形成工程を実行する。例えば、本実施形態では、第１レンズ要素５１の平坦面５１２に対して、フィルター層５３を蒸着する。
そして、平坦面５１２及び平坦面５２２が対向する状態にて、第１レンズ要素５１及び第２レンズ要素５２を一体化する固定工程を実行する。具体的に、本実施形態では、第２レンズ要素５２の平坦面５２２に対して接着層５４を塗布し、当該平坦面５１２と平坦面５２２とを当接させる。この接着層５４により、平坦面５１２及び平坦面５２２が接着されることにより、第１レンズ要素５１及び第２レンズ要素５２が一体化される。このような工程を経て、リレーレンズ５が形成される。
【００４１】
上記第１製造方法では、第１レンズ要素５１の平坦面５１２にフィルター層５３が形成されることとしたが、これに限らず、例えば、フィルター層５３は、第２レンズ要素５２の平坦面５２２に形成されることとしてもよい。この場合、第１レンズ要素５１の平坦面５１２に接着層５４が形成されればよい。この場合であっても、上記第１製造方法により製造されたリレーレンズ５と同様のリレーレンズ５を製造できる。
【００４２】
［リレーレンズの第２製造方法］
図５は、リレーレンズ５の第２製造方法を示す図である。
以上説明したようなリレーレンズ５は、例えば、図５に示す第２製造工程を経て製造されてもよい。
まず、２つのガラス基板ＢＰ１，ＢＰ２のいずれか一方に平坦なフィルター層５３を形成する形成工程を実行する。例えば、本実施形態では、ガラス基板ＢＰ２のガラス基板ＢＰ１に対向する側の平坦面ＢＰ１１に対して、フィルター層５３を蒸着する。
そして、フィルター層５３を挟んで２つのガラス基板ＢＰ１，ＢＰ２を接合する接合工程を実行する。具体的に、本実施形態では、ガラス基板ＢＰ２の平坦面ＢＰ２１に対して接着層５４を塗布し、平坦面ＢＰ１１と当該平坦面ＢＰ２１とが対向する状態にて、ガラス基板ＢＰ１とガラス基板ＢＰ２とを接合させる。この接着層５４により、平坦面ＢＰ１１及び平坦面ＢＰ２１が接着され、ガラス基板ＢＰ１及びガラス基板ＢＰ２が一体化される。
そして、一体化されたガラス基板ＢＰ１及びガラス基板ＢＰ２の外面を曲面状（凸面状）に研磨等する加工工程が実行され、当該研磨されたガラス基板ＢＰ１が第１レンズ要素５１となり、当該研磨されたガラス基板ＢＰ２が第２レンズ要素５２となる。このように、第２製造工程によっても、上記リレーレンズ５が形成される。
【００４３】
上記第２製造方法では、フィルター層５３は、ガラス基板ＢＰ１の平坦面ＢＰ１１に形成されることとした。しかしながら、これに限らず、例えば、フィルター層５３は、ガラス基板ＢＰ２の平坦面ＢＰ２１に形成されることとしてもよい。この場合、接着層５４は、ガラス基板ＢＰ１の平坦面ＢＰ１１に形成されればよい。この場合であっても、上記第２製造方法により製造されたリレーレンズ５と同様のレンズを製造することができる。
また、上記第２製造方法では、上記加工工程において、ガラス基板ＢＰ１，ＢＰ２のいずれもの外面を曲面に加工することとしたが、これに限らず、例えば、上記加工工程において、一方のガラス基板ＢＰ１，ＢＰ２の外面に対して加工工程を実行しなくてもよい。この場合、加工工程が実行されない外面に上記フィルター層５３とは異なる層を設けたり、レンズを自由に設計したりできるので、当該光学レンズの態様を拡大でき、プロジェクター１に限らず、多種多様の電子機器等に当該光学レンズを適用することができる。
【００４４】
以上説明した本実施形態に係るプロジェクター１は、以下の効果を奏する。
入射面５１１と出射面５２１との間に位置するフィルター層５３が略平面により構成されているので、リレーレンズ５の入射面５１１（曲面）を介して入射される光がフィルター層５３に対して略一定の入射角度で入射される構成とすることが可能であり、フィルター層５３の光学特性がレンズの中心及び周辺のいずれの位置においても変わらないにできる。従って、入射面５１１から入射された光を面内で略均一な光として出射面５２１から出射させることができる。
また、リレーレンズ５の両曲面のいずれか（入射面５１１及び出射面５２１のいずれか）にフィルター層５３が形成されると、当該フィルター層５３の厚さ（膜厚）にムラが生じる可能性が高い。これに対して、本実施形態では、入射面５１１と出射面５２１との間に位置するフィルター層５３が略平面により構成されているので当該膜厚のムラが生じる可能性を低減できる。
従って、フィルター層５３が入射角度依存性を有する場合であっても、フィルター層５３により変化された光の色ムラや照度ムラが生じる可能性を低減できる。
【００４５】
リレーレンズ５の光軸に直交する面である平坦面５１２に対して略平行にフィルター層５３が位置しているので、当該フィルター層５３を備えるリレーレンズ５の設計を容易にできる。また、上記リレーレンズ５の光軸に直交する面に対してフィルター層５３を設けるのみでリレーレンズ５を製造できるので、リレーレンズ５を容易に製造することができる。
【００４６】
両凸レンズであるリレーレンズ５の内部にフィルター層５３を配置できるので、当該リレーレンズ５（フィルター層５３を有する両凸レンズ）が適用される可能性を拡大することができる。
【００４７】
リレーレンズ５は、フィルター層５３として赤外線カットフィルターを内部に含むので、赤外線の波長領域の光を低減させるレンズとして用いることができる。従って、上記リレーレンズ５の適用できる範囲を拡大することができる。
【００４８】
光源装置４１と光変調装置４５３Ｒとの間に、上記フィルター層を別途配置する場合、界面の増加によって、光変調装置４５３Ｒに入射される色光の輝度の低下、ひいては、投射光学装置４６から出射される画像光の輝度が低下する。これに対し、本実施形態では、光源装置４１と光変調装置４５３Ｒとの間にリレーレンズ５を配置できるので、上記界面の増加によって、光変調装置４５３Ｒに入射される色光の輝度の低下を抑制でき、ひいては、投射光学装置４６から出射される画像光の輝度の低下を抑制できる。
【００４９】
リレー光学装置４４が平面を含まない複数のレンズ等により形成されている場合でも、略平面のフィルター層５３を有するリレーレンズ５を配置できる。従って、リレー光学装置４４を備えた赤色光においても、リレー光学装置４４の設計の自由度を高めることができ、部品点数の増加によるコストアップや輝度低下を招くことなく、表示位置によるフィルター層５３の光学特性の差を抑えられ、色ムラや輝度ムラを抑えることができる。
例えば、フィルター層５３が赤外線領域の波長の光を低減させる赤外線カットフィルターにより構成されているので、光変調装置４５３に赤外線が入射されることを抑制できるので、光変調装置４５３、ひいては、プロジェクター１が当該赤外線により劣化することを抑制できる。
【００５０】
リレー光学装置４４における光線角度分布が最も小さい位置、すなわち、略同じ光線角度の光が入射する位置に上記リレーレンズ５（フィルター層５３）が配置されるので、当該リレーレンズ５の中心及び周辺のいずれの位置においても、当該入射される光がフィルター層５３に対して略同じ角度にて入射される。従って、上記リレーレンズ５の中心及び周辺のいずれの位置においても略同様の光学特性の赤色光が出射されるので、リレー光学装置４４から出射される光の輝度ムラ及び色ムラの発生を抑制できる。従って、プロジェクター１の信頼性を更に高めることができる。
また、リレー光学装置４４において上記フィルター層５３を備えた光学素子を上記リレーレンズ５とは別に上記赤色光の光路上に配置する必要がないので、リレー光学装置４４の部品点数を削減できる。
【００５１】
上記第１製造方法によれば、入射面５１１と平坦面５１２を有する第１レンズ要素５１の平坦面５１２にフィルター層５３を形成し、当該平坦面５１２及び平坦面５２２が対向する状態にて第１レンズ要素５１及び第２レンズ要素５２を一体化するのみで、上記リレーレンズ５を形成できる。このように、形成工程及び固定工程の２つの工程により、上記リレーレンズ５を形成できるので、上記リレーレンズ５を簡易に製造できる。
【００５２】
上記第２製造方法によれば、２つのガラス基板ＢＰ１，ＢＰ２が接合された後に、当該２つのガラス基板ＢＰ１，ＢＰ２の外面が曲面状に加工されるので、例えば、接合工程において、２つのガラス基板ＢＰ１，ＢＰ２の位置合わせを精密にする必要がない。従って、上記リレーレンズ５をより簡易に製造できる。
【００５３】
［実施形態の変形］
本発明は、上記実施形態に限定されるものではなく、本発明の目的を達成できる範囲での変形、改良等は本発明に含まれるものである。
上記実施形態では、第１レンズ要素５１及び第２レンズ要素５２は、接着層５４により一体化されることとした。しかしながら、これに限らず、例えば、第１レンズ要素５１及び第２レンズ要素５２を入射面５１１及び出射面５２１の外側から押圧して固定する固定具を設け、当該固定具により第１レンズ要素５１及び第２レンズ要素５２が一体化されるようにしてもよい。これによれば、接着層５４を設けることなく、第１レンズ要素５１及び第２レンズ要素５２を固定できる。この場合、フィルター層５３が入射される光により熱を帯びた場合であっても、当該熱により接着層５４が劣化する可能性がないので、リレーレンズ５の耐熱性を向上させることができる。
【００５４】
上記実施形態では、第１レンズ要素５１及び第２レンズ要素５２は、ガラス等により形成されることとした。しかしながら、これに限らず、例えば、第１レンズ要素５１及び第２レンズ要素５２の少なくとも一方が樹脂等により形成されていてもよい。
【００５５】
上記実施形態では、第１レンズ要素５１及び第２レンズ要素５２は、同形状の平凸レンズにより形成されていることとした。しかしながら、これに限らず、例えば、第１レンズ要素５１と第２レンズ要素５２とは、同形状でなくてもよい。
【００５６】
上記実施形態では、第１レンズ要素５１の入射面５１１は、光の入射方向とは反対方向側に突出する凸面であり、第２レンズ要素５２の出射面５２１は、光の入射方向に沿う方向に突出する凸面であることとした。しかしながら、これに限らず、例えば、第１レンズ要素５１は、光の入射方向に沿って凹む凹面であってもよいし、第２レンズ要素５２も光の入射方向とは反対方向に凹む凹面であってもよい。すなわち、入射面５１１及び出射面５２１は、曲面であればよく、例えば、リレーレンズ５は、両凹レンズや一方が凸形状を有し、他方が凹形状を有するレンズであってもよい。
【００５７】
上記実施形態では、フィルター層５３は、リレーレンズ５の光軸直交面に対して略平行に形成されていることとした。しかしながら、これに限らず、例えば、フィルター層５３は、上記光軸直交面に対して平行でなくてもよい。この場合であっても、フィルター層５３が形成された光学素子をリレー光学装置４４内に配置する場合に比べて、部品点数を削減できる。
【００５８】
上記実施形態では、フィルター層５３は、平坦に第１レンズ要素５１の平坦面５１２及びガラス基板ＢＰ１の平坦面ＢＰ１１に形成されることとした。しかしながら、これに限らず、例えば、フィルター層５３は、第１レンズ要素５１の入射面５１１の形状（凸面形状）に合わせた凸面形状に平坦面５１２に形成されてもよい。
【００５９】
上記実施形態では、フィルター層５３は、赤外線の波長領域の光を低減させる赤外線カットフィルターであることとした。しかしながら、これに限らず、例えば、フィルター層５３は、紫外線の波長領域の光を低減させる紫外線カットフィルターであってもよいし、所定の波長の光のみを透過させるカラーフィルター（ローパスフィルター、ハイパスフィルター及びバンドパスフィルター）であってもよい。
例えば、フィルター層５３が紫外線カットフィルターである場合、青色光の光路が他の色光の光路よりも長くなるように、ダイクロイックミラー４３１，４３２の特性を変更し、リレー光学装置４４を青色光の光路上に設けることとすればよい。これによれば、青色光の光路長が他の色光の光路長より長い場合であっても、青色光を確実に光変調装置４５３Ｒに入射させることができ、かつ、青色光から紫外線の波長領域の光を低減させることができる。従って、青色光が入射される光変調装置４５３Ｂの紫外線による劣化を抑制できる。
【００６０】
更に、フィルター層５３が赤色光のうち、所定波長領域の赤色光のみを透過させるカラーフィルター（バンドパスフィルター）により構成されている場合には、所定波長領域以外の光が光変調装置４５３Ｒに入射することを抑制できるので、投射画像の彩度を向上できる。また、上記のように青色光の光路上にリレー光学装置４４が配置され、フィルター層５３が所定波長領域の青色光のみを透過させるカラーフィルターにより構成されている場合も同様である。更に、緑色光の光路上にリレー光学装置４４が配置され、フィルター層５３が所定波長領域の緑色光のみを透過させるカラーフィルターにより構成されている場合も同様である。
また、フィルター層５３が、所定の波長領域の光を低減させる光学特性が偏光によって異なる特性として、偏光分離する特性を付加した偏光分離層や、複屈折特性を持つ位相差層においても、同様である。
【００６１】
上記実施形態では、リレーレンズ５がフィルター層５３を有することとした。しかしながら、これに限らず、例えば、リレー光学装置４４を構成する複数のレンズ（入射側レンズ４４１、出射側レンズ４４２及びリレーレンズ５）のうち、光線角度分布が最も小さいレンズが入射側レンズ４４１や出射側レンズ４４２である場合に、当該入射側レンズ４４１及び出射側レンズ４４２のいずれかがフィルター層５３を有する構成であってもよい。この場合であっても、上記各実施形態と同様の効果を奏することができる。また、入射側レンズ４４１及び出射側レンズ４４２のいずれかが上記リレーレンズ５のフィルター層５３とは異なる性質のフィルター層（例えば、上記カラーフィルター）を備える形状であってもよい。この場合、入射側レンズ４４１及び出射側レンズ４４２のいずれかが所定波長領域の赤色光のみを透過させ、かつ、リレーレンズ５のフィルター層５３により赤外線の波長領域の光が低減されるので、赤外線及び所定波長領域以外の光が光変調装置４５３Ｒに入射することを抑制できる。これによれば、投射画像の彩度を向上できるので、プロジェクター１の信頼性を向上させることができる。
【００６２】
上記実施形態では、プロジェクター１の画像形成装置４は、略Ｌ字状に形成されていることとした。しかしながら、これに限らず、例えば、画像形成装置４は、略Ｕ字状に形成されていてもよい。この場合であっても、上記リレーレンズ５を適用でき、上記各実施形態と同様の効果を奏することができる。すなわち、画像形成装置４の光学部品の構成及び配置は、適宜変更可能である。
【００６３】
上記実施形態では、プロジェクター１は、３つの光変調装置４５３（４５３Ｒ，４５３Ｇ，４５３Ｂ）を備えるとした。しかしながら、これに限らず、例えば２つ以下、或いは、４つ以上の光変調装置を備えたプロジェクターにも、本発明は適用可能である。
また、光変調装置４５３は、光入射面と光出射面とが異なる液晶パネルを有する構成であった。しかしながら、これに限らず、光入射面と光出射面とが同一となる反射型の液晶パネルを備えた光変調装置を採用してもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を採用してもよい。
【符号の説明】
【００６４】
１…プロジェクター、４…画像形成装置、５…リレーレンズ（光学レンズ）、４１…光源装置、４２…均一化装置、４３…色分離装置、４４…リレー光学装置、４５…電気光学装置、４６…投射光学装置、４７…光学部品用筐体、５１…第１レンズ要素（第１レンズ）、５２…第２レンズ要素（第２レンズ）、５３…フィルター層、５４…接着層、４４１…入射側レンズ、４４２…出射側レンズ、４４３…反射ミラー、４４４…反射ミラー、４５３，４５３Ｒ，４５３Ｇ，４５３Ｂ…光変調装置、５１１…入射面（曲面、第１曲面）、５１２…平坦面（第１平坦面）、５２１…出射面（曲面、第２曲面）、５２２…平坦面（第２平坦面）、ＢＰ１，ＢＰ２…ガラス基板（基板）、ＢＰ１１，ＢＰ２１…平坦面。
【図１】
2018040970.tif 000003
【図２】
2018040970.tif 000004
【図３】
2018040970.tif 000005
【図４】
2018040970.tif 000006
【図５】
2018040970.tif 000007